(57)【要約】 【課題】本考案は魚に新鮮な興味を持たせて食付きを良くする斬新なタイプのルアーを提供することを目的とする。【解決手段】プラスチック製の棒状体１を少なくとも螺旋状に形成したルアーに構成させる。又、この棒状体１の表面を凹凸２に形成するのが好ましく、棒状体１の表面に毛を植毛しても良い。また棒状体１の中心に金属線の芯材を入れても良く、棒状体の両端に取付部11を取付けるに当り、金属線でそれを形成し、その取付部11に、より戻し５を取付けると良い。【選択図】図１
0003129217.tif 000002
【実用新案登録請求の範囲】
【請求項１】
プラスチック製の棒状体（１）を少なくとも螺旋状に形成したことを特徴とするルアー。
【請求項２】
前記棒状体（１）の螺旋状の巻き方向が左巻きである請求項１記載のルアー。
【請求項３】
前記棒状体（１）の表面が凹凸（２）に形成された請求項１又は２記載のルアー。
【請求項４】
前記棒状体（１）の中心に、金属線の芯材（３）が入れられた請求項１、２又は３記載のルアー。
【請求項５】
前記棒状体（１）の表面に毛（４）が植毛された請求項１、２、３又は４記載のルアー。
【請求項６】
前記棒状体（１）の両端に、金属線で形成する取付部（11）が取付けられた請求項１、２、３、４又は５記載のルアー。
【請求項７】
前記棒状体（１）の取付部（11）に、より戻し（５）が取付けられた請求項６記載のルアー。
【考案の詳細な説明】
【技術分野】
【０００１】
本考案は魚釣りに用いるルアーに関する。
【背景技術】
【０００２】
従来から生餌に変えて様々な魚釣用ルアーを使用して、ルアーフィッシングが盛んに行われている。この魚釣りに用いるルアーは、外形を魚に似せたもの，金属製で板状に形成させたスプーンタイプ，ミミズなどの小動物に似せて形成したもの，或いは生餌に近い動きをさせるように様々な工夫が施されたものなどがあり、魚の興味を引き付けるために種々なタイプのルアーが、より多数市販されている。特に極細な棒状のルアーとしては図６に示すように、ワイヤーである芯材（３）にビーズを直線状に並べて通し、そのワイヤーの両端には導糸用と釣針用の取付部（11）が形成されているものである。
【０００３】
しかしながら、前記従来の様々なタイプのルアーを用いても、繰返しルアーを用いて魚釣りを行っていると、魚が同種のルアーに興味を示さないようになってしまう、通称、魚ズレになってしまうため、新たなタイプのルアーが常に求められているのが現状である。又、前記棒状のルアーの動きは、ルアーを引いて来る動作（リトリーブと言う）を行っても単に棒状が移動するだけで、その動きが小さなものであった。更に魚がルアーに食付いて釣針に掛った時は、魚が素早く引くため、ルアーに魚の衝撃力が加わって釣針から外れる恐れがある等の欠点があった。
【特許文献１】なし
【考案の開示】
【考案が解決しようとする課題】
【０００４】
本考案は魚に新鮮な興味を持たせて食付きを良くする斬新なタイプのルアーを提供することを目的とする。
【課題を解決するための手段】
【０００５】
本考案は上記欠点を解消するために成されたものであり、つまり、プラスチック製の棒状体を少なくとも螺旋状に形成したルアーに構成させる。又、この棒状体の表面を凹凸に形成するのが好ましく、棒状体の表面に毛を植毛するのが良い。また棒状体の中心に金属線の芯材を入れても良く、棒状体の両端に取付部を取付けるに当り、金属線でそれを形成し、その取付部に、より戻しを取付けると良い。
【考案の効果】
【０００６】
請求項１のようにプラスチック製の棒状体（１）を少なくとも螺旋状に形成することにより、ルアーを引く動作が行われると、従来の如き単に棒状の移動だけでなく、全体が回転するので従来にない動きとなり、魚に新鮮な興味を持たせると共に生きているように変化させることが出来るため、食付きが良いものとなる。又、魚がルアーに食付いて釣針（７）に掛った時は、魚が素早く逃げようとするため、ルアー全体が引かれるが、ルアーに魚の衝撃力が加わると、螺旋状部分が引張られて伸びると共に棒状体（１）の弾力性により、魚の衝撃力が緩衝され、従来の如き釣針（７）から外れる恐れが殆どなく、釣果が向上するものとなる。しかも本考案品を渓流などの川の流れがあるような場所で釣りをすると、本考案品は川の流れにより自然に回転するものとなり、更にルアーを引くことにより、その回転速さを調節することが可能なものとなり、魚にますます興味を持たせるものとなる。更にプラスチックで成型することにより、大量生産が可能になると共にルアーが安価に製作できるものとなる。
【０００７】
請求項２のように棒状体（１）の螺旋状の巻き方向を左巻きにすることにより、より戻し（５）を取付けなくても導糸（６）のよりが生じにくくなる。また一般にリールを巻き上げる時に生じていた糸よりが、棒状体（１）の左回転により自然にほぐされるものとなるのである。
【０００８】
請求項３に示すように棒状体（１）の表面を凹凸（２）に形成させることにより、棒状体（１）が回転する際に、水を切る音や泡立つものとなり、魚に新鮮な興味をより多く持たせることが出来るため、食付きがより良いものとなる。
【０００９】
請求項４に示すように棒状体（１）の中心に、金属線の芯材（３）を入れることにより、強度的に強化され、長期間に渡って使用出来るものとなる。
【００１０】
請求項５のように棒状体（１）の表面に毛（４）を植毛することにより、より生餌に近付くものとなり、釣果がより向上するものとなる。
【００１１】
請求項６のように棒状体（１）の両端に、金属線で形成された取付部（11）を取付けることにより、取付部（11）の強度が強化されたものとなる。
【００１２】
請求項７に示すように棒状体（１）の取付部（11）に、より戻し（５）を取付けることにより、ルアーがいくら回転しても、より戻し（５）でその回転力が導糸（６）側には伝達されないため、導糸（６）のよりが防止出来るものとなる。
【考案を実施するための最良の形態】
【００１３】
図１は本考案の実施形態を示す図であり、これに基づき説明する。（１）は右巻き或いは左巻きの螺旋状に成型されたプラスチック製の棒状体であり、該棒状体（１）には復元力を有している。また前記棒状体（１）の両端には、導糸用或いは釣針用の取付部（11）が一体に設けられており、該取付部（11）には取付用の穴が形成されている［図２（ａ），図３（ａ）参照］。この取付部（11）はプラスチック以外に、後述する金属線の芯材（３）でその両端を図２（ｂ），図３（ｂ）のようにループ状に折曲して形成させるか或いは、図２（ｃ），図３（ｃ）のように別の金属線をループ状に折曲して形成させると共にその基部側をプラスチックに埋設させたものとしても良い。（２）は棒状体（１）の表面に形成された凹凸であり、該凹凸（２）としては、ビーズに類似させた連続するものとしたり、或いは棒状体（１）の表面に凹凸（２）を適宜に形成されたものとしても良い。尚、前記凹凸（２）は必ずしも必要ではない。
【００１４】
（３）は図２（ｂ）に示すように棒状体（１）の中心に入れられた金属線の芯材であり、該芯材（３）としては、例えば、鉄線，ステンレス線，銅線などを用いても良いが、この時、海水でサビ易い金属ワイヤーにはビニール被覆や表面処理を施したものを使用するのが好ましい。尚、前記芯材（３）の材質は上記のものに限定されるものではない。又、前記棒状体（１）に軟質なプラスチックで且つその中心に沿って前記芯材（３）が入れられたものを形成すると、復元力が得られないが、螺旋状に折曲可能なものとして使用しても良い。このルアーは、必要に応じて螺旋の大きさや巻き数を変えることが可能なものとなる。（４）は図５に示す棒状体（１）の表面全体に植毛した合成樹脂製の毛であり、該毛（４）は棒状体（１）の表面一部に植毛したものとしても良い。尚、前記毛（４）の材質は上記のものに限定されるものではない。（５）は取付部（11）に取付けたより戻しであり、該より戻し（５）は一般的な市販品を用いれば良い。（６）は導糸で、（７）は釣針である。
【００１５】
次に本考案の使用方法について説明する。予め本考案の棒状体（１）の一方の取付部（11）により戻し（５）を取付け、より戻し（５）のループに導糸（６）を取付けておくと共に他方の取付部（11）に釣針（７）を取付けておく。先ず始めにルアーを川や海に投げ込んで魚釣りを行う。そして導糸（６）が引かれると、導糸（６）と一緒に棒状体（１）も引かれる。すると、棒状体（１）は水の抵抗を受け、螺旋状であるため全体が回転し始め、従来の如き棒状が単に移動するだけでなく、ルアーの動きが立体的になり、変化が大きなものとなり、生きているように見えるものとなるのである。従って、魚の食付きが良くなるのである。この時、釣り場所が渓流などであれば、川の流れがあるので、その流れの力によって本考案品は自然に回転するものとなる。更にルアーを引く速さ、つまり、リールを巻く速さを変化させることにより、その回転速さが調節可能なものとなるため、従来にない動きとなり、魚に新鮮な興味を持たせて食付きがより良いものとなる。尚、図５に示す本考案品を用いると、毛虫が動いているように見えると共に、毛によって泡立ち且つ水に動きを生じさせるため、魚の食付きがより一層良好なものとなる。尚、本考案品により戻し（５）を取付けておくと、棒状体（１）がいくら回転しても導糸（６）のよりが防止出来るものとなる。
【００１６】
図４はルアーに魚が食付いた際の本考案の作用を示す図であり、これについて説明する。本考案のルアーに魚が近付いて食付くと、素早く逃げる。するとルアーは魚によって螺旋状の棒状体（１）が引き伸ばされる。この時、前記棒状体（１）には復元力があるため、それが徐々に伸ばされ、魚の衝撃力が緩衝され、従来の如き釣針（７）から外れる恐れが殆どなくなり、釣果が向上するものとなる。釣上げた後、棒状体（１）の復元力によって自動的に元の螺旋状に戻されるのである。その後、釣りを終えて従来と同様に片付ければ良い。
【図面の簡単な説明】
【００１７】
【図１】本考案の実施形態を示す斜視図である。
【図２】本実施形態の断面を示す説明図である。
【図３】本実施形態の取付部を示す説明図である。
【図４】本考案の作用を示す斜視図である。
【図５】本考案品に毛が植毛された状態を示す斜視図である。
【図６】従来の実施形態を示す斜視図である。
【符号の説明】
【００１８】
１  棒状体
11  取付部
２  凹凸
３  芯材
４  毛
５  より戻し
【図１】
0003129217.tif 000003
【図２】
0003129217.tif 000004
【図３】
0003129217.tif 000005
【図４】
0003129217.tif 000006
【図５】
0003129217.tif 000007
【図６】
0003129217.tif 000008